(57)【要約】【課題】水滴が床に落下することを防止可能な、タオル掛け部付きの収納トレイを備えた洗面化粧台を実現する。【解決手段】洗面ボウルよりも上方に取り付けられたミラーキャビネットにおいて、鏡７の側方に１つ以上の収納トレイが設けられており、少なくとも１つの収納トレイは、タオル掛け部１４と収納部１５を備え、タオル掛け部１４は、前壁部１８と、収納部との仕切り壁を兼ねた後壁部１９と、側壁部２１とで構成されており、前壁部１８または後壁部１９の少なくとも一方には、その上端から連続して他方の壁部寄りの位置に垂下するように形成された落下抑制部２６を備えている。【選択図】図２
2015073662.tif 000002
【特許請求の範囲】
【請求項１】
洗面ボウルと、鏡と鏡の側方に設けられた１つ以上の収納トレイとを含み、かつ洗面ボウルよりも上方に取り付けられミラーキャビネットと、を備えた洗面化粧台であって、少なくとも１つの収納トレイは、物品を収容するための収納部とタオルを掛けるためのタオル掛け部とを備えていることを特徴とする洗面化粧台。
【請求項２】
タオル掛け部は、収納トレイの奥行き方向において鏡が取り付けられる面から遠い側に配置されていることを特徴とする請求項１に記載の洗面化粧台。
【請求項３】
タオル掛け部は、前壁部と、収納部との仕切り壁を兼ねた後壁部と、前壁部と後壁部とを接続する側壁部と、により構成されていることを特徴とする請求項２に記載の洗面化粧台。
【請求項４】
前壁部または後壁部の少なくとも一方には、その上端から連続して他方の壁部寄りの位置に垂下するように形成された落下抑制部をさらに備えていることを特徴とする請求項３に記載の洗面化粧台。
【請求項５】
落下抑制部は、その一部が曲面状の湾曲部として形成されていることを特徴とする請求項４に記載の洗面化粧台。
【請求項６】
タオル掛け部を備えた収納トレイの下方には、タオル掛け部を備えていない第２の収納トレイが設けられており、第２の収納トレイの奥行き方向の寸法は、収納トレイの収納部の奥行き方向の寸法と略同一に設定されていることを特徴とする請求項１から５のいずれか１項に記載の洗面化粧台。
【発明の詳細な説明】
【技術分野】
【０００１】
本発明は、ミラーキャビネットにタオル掛け部付きの収納トレイを備えた洗面化粧台に関する。
【背景技術】
【０００２】
従来、洗面化粧台等に設けられるタオル掛けは、キャビネットのハンドル取手を兼用するものや、ライン取手に別部材を取り付けるものが多い。これらの構成では、洗面ボウルよりも下方やボウルの側方にタオル掛けが設けられている。例えば、洗面ボウルよりも下方にタオル掛けが設けられたものが知られている（特許文献１参照）。
【０００３】
また、洗面ボウルの側方にタオル掛けが設けられたものが知られている（特許文献２参照）。ミラーキャビネットにおいて、鏡の側方に収納トレイを取り付けたものが知られている（特許文献３参照）。さらに、収納トレイとタオル掛けを一体化したものが知られている（特許文献４参照）。
【先行技術文献】
【特許文献】
【０００４】
【特許文献１】実用新案登録第２５３２９６０号公報
【特許文献２】特開２００７−１９５６９６号公報
【特許文献３】特開２００８−１３６５０８号公報
【特許文献４】特開平０５−２６１０２８号公報
【発明の概要】
【発明が解決しようとする課題】
【０００５】
上記従来例のように、洗面化粧台等においては、洗面ボウルよりも下方やボウルの側方にタオル掛けが設けられている構成であると、手を洗ったあと、濡れた手をタオルまで移動させてタオルで拭く際に、水滴が床に落下したり、濡れた手がキャビネットに触れてしまうという問題が生じ、床やキャビネットが汚れ、衛生的にも、見た目も好ましくない。
【０００６】
本発明は、上記従来の問題を解決することを目的とし、濡れた手をタオルで拭く際に、水滴が床に落下することを防止し、濡れた手がキャビネットに触れてしまうようなことを少なくする、タオル掛け部を備えた収納トレイを有する洗面化粧台を実現する。
【課題を解決するための手段】
【０００７】
本発明は上記課題を解決するために、洗面ボウルと、鏡と鏡の側方に設けられた１つ以上の収納トレイとを含み、かつ洗面ボウルよりも上方に取り付けられミラーキャビネットと、を備えた洗面化粧台であって、少なくとも１つの収納トレイは、物品を収容するための収納部とタオルを掛けるためのタオル掛け部とを備えていることを特徴とする洗面化粧台を提供する。
【０００８】
タオル掛け部は、収納トレイの奥行き方向において鏡が取り付けられる面から遠い側に配置されていることが好ましい。
【０００９】
タオル掛け部は、前壁部と、収納部との仕切り壁を兼ねた後壁部と、前壁部と後壁部とを接続する側壁部と、により構成されていることが好ましい。
【００１０】
前壁部または後壁部の少なくとも一方には、その上端から連続して他方の壁部寄りの位置に垂下するように形成された落下抑制部をさらに備えていることが好ましい。
【００１１】
落下抑制部は、その一部が曲面状の湾曲部として形成されていることが好ましい。
【００１２】
タオル掛け部を備えた収納トレイの下方には、タオル掛け部を備えていない第２の収納トレイが設けられており、第２の収納トレイの奥行き方向の寸法は、収納トレイの収納部の奥行き方向の寸法と略同一に設定されていることが好ましい。
【発明の効果】
【００１３】
本発明に係る洗面化粧台は、収納キャビネット上に設置したボウルよりも上方に、収納部とタオル掛け部を備えた収納トレイを有するミラーキャビネットを設置する構成としたので、タオルで手を拭く際に、水滴が床に落下したり、ミラーキャビネット又は収納キャビネットに濡れた手が触れたりして、床やキャビネット等が汚れることを防止できる。
【図面の簡単な説明】
【００１４】
【図１】本発明に係る洗面化粧台の実施例１の全体構成を説明する図である。
【図２】上記実施例１の洗面化粧台におけるタオル掛け部を備えた収納トレイの構成を説明する図であり、（ａ）は平面図であり、（ｂ）は（ａ）のＢ−Ｂ断面図でありタオルを掛けた状態を示す。
【図３】（ａ）、（ｂ）は、それぞれ上記実施例１の洗面化粧台のミラーキャビネットの２つの構成例を説明する正面図である。
【図４】本発明に係る洗面化粧台の実施例２におけるタオル掛け部を備えた収納トレイの構成を説明する図であり、（ａ）は平面図であり、（ｂ）は（ａ）のＢ−Ｂ断面図である。
【図５】上記実施例２のタオル掛け部を備えた収納トレイの作用を説明する図であり、（ａ）はタオルを掛ける状態を示し、（ｂ）はタオルを掛けた状態を示す。
【図６】本発明に係る洗面化粧台の実施例３におけるタオル掛け部を備えた収納トレイの構成を説明する図であり、（ａ）は平面図であり、（ｂ）は（ａ）のＢ−Ｂ断面図である。
【図７】上記実施例３の洗面化粧台のタオル掛け部を備えたミラーキャビネットの構成例を示す図であり、（ａ）は正面図であり、（ｂ）は（ａ）のＢ−Ｂ断面図である。
【発明を実施するための形態】
【００１５】
本発明に係る洗面化粧台を実施するための形態を実施例に基づき図面を参照して、以下説明する。
【実施例】
【００１６】
（実施例１）
本発明に係る洗面化粧台の実施例１を図１〜３を参照して説明する。以下の説明では、洗面化粧台１を正面から見て、左右を左右とし、手前側を前方とし、奥側を後方として説明する。本発明に係る洗面化粧台１は、図１に示すように、洗面ボウル２と、洗面ボウル２よりも上方に取り付けられたミラーキャビネット３と、洗面ボウル２を載置している収納キャビネット４を備えている。
【００１７】
ミラーキャビネット３は、ミラーキャビネット本体６と、ミラーキャビネット本体６の前面に設けられた鏡７と、ミラーキャビネット本体６の前面であって鏡７の側方に設けられた１つ以上の収納トレイ１０、１１とを含む。
【００１８】
１つ以上の収納トレイのうち少なくとも１つの収納トレイは、物品を収容するための収納部とタオルを掛けるためのタオル掛け部を備えている。このように収納部とタオルを掛けるためのタオル掛け部を備えた収納トレイ１１を、本明細書では、タオル掛け部を設けない収納トレイ（通常の収納トレイ）１０に対して、「タオル掛け部を備えた収納トレイ」という。
【００１９】
タオル掛け部を備えた収納トレイ１１は、樹脂等の材料で製造され、図２（ａ）、（ｂ）に示すように、全体としては平面視で矩形に形成されており、前方に配置されたタオル掛け部１４と後方に配置された収納部１５が一体に設けられている。鏡７に対しては、タオル掛け部１４は、タオル掛け部を備えた収納トレイ１１の奥行き方向において、鏡７が取り付けられる面から遠い側に配置されている。
【００２０】
タオル掛け部を備えた収納トレイ１１は、タオル掛け部１４の前壁部１８と、タオル掛け部１４の後壁部１９と、取付壁部２０と、左右の側壁部２１と、収納部１５の底壁２２と、を備えている。
【００２１】
左右の側壁部２１は、前壁部１８、後壁部１９および取付壁部２０を接続する部材である。よって、タオル掛け部１４は、前壁部１８、後壁部１９および両側の側壁部２１から構成されている。後壁部１９は、タオル掛け部１４と収納部１５を仕切る仕切り壁を兼ねている。
【００２２】
収納部１５は、後壁部１９、取付壁部２０、両側の側壁部２１および底壁２２から囲まれた収納空間を備えている。取付壁部２０の後面の上部左右には、ミラーキャビネット本体６に形成された係止孔に係合して引っ掛けるために、図２（ａ）、（ｂ）に示すような断面Ｌ字状の引っ掛けフック２５が設けられている。
【００２３】
タオル掛け部１４において、前壁部１８又は後壁部１９には、その上端から連続して他方の壁部（後壁部１９又は前壁部１８）寄りの位置に垂下するように、落下抑制部２６が形成されている。この落下抑制部２６は、その一部が曲面状に形成されている。
【００２４】
本実施例１では、 図２（ｂ）に示すように、落下抑制部２６は、前壁部１８の上端から下方かつ後壁部１９に向けて形成されており、曲面状に形成された湾曲部２７を有している。この湾曲部２７は、後方に向けて凸状に湾曲するように形成されている。
【００２５】
なお、落下抑制部は、 図２（ｂ）に示す構成とは逆に、後壁部１９の上端から下方かつ前壁部１９に向けて形成され、その湾曲部は、前方に向けて凸状に湾曲するように形成されている構成であってもよい。
【００２６】
（作用）
以上の構成から成る実施例１の洗面化粧台１の作用を、その使用態様とともに説明する。洗面化粧台１において、タオル掛け部を備えた収納トレイ１１は、その取付壁部２０をミラーキャビネット本体６に向き合わせ、引っ掛けフック２５をミラーキャビネット本体６に形成された係止孔に係合して、引っ掛けて取り付ける。
【００２７】
なお、他の収納トレイ１０は、鏡７の側方において、図３（ａ）、（ｂ）に示すように、適宜配置して取り付けられている。収納トレイ１０に対して、タオル掛け部を備えた収納トレイ１１の配置は、掛けようとするタオルの長さ等を考慮して適宜設計すればよい。
【００２８】
例えば、図３（ａ）は、ハンドタオル等の短いタオルを掛けるために、タオル掛け部を備えた収納トレイ１１を、鏡７の左側方かつ下部の位置に配置して、ミラーキャビネット本体６に取り付けた構成を示す。
【００２９】
また、図３（ｂ）は、フェイスタオル等の長いタオルを掛けるために、タオル掛け部を備えた収納トレイ１１を、鏡７の側方かつ上部の位置に配置して、ミラーキャビネット本体６に取り付けた構成を示す。
【００３０】
タオル３０は、図２（ｂ）に示すように、落下抑制部２６上で折り返し、落下抑制部２６の上面に接触して沿うように掛ける。すると、タオル３０は、折り返された２つの片の一方の片３１は、タオル掛け部１４の前壁部１８と後壁部１９の間のスペースを通って下方に垂れ下がり、また他方の片３２は前壁部１８の前面側で下方に垂れ下がり、互いに間隔をおいて掛けられる。
【００３１】
従って、折り返された２つの片が互い接触して掛けられるような場合に比べて、タオル３０は乾き易く、より衛生的である。また、タオル３０の折り返される部分は、落下抑制部２６の上面とより広い面積で接触し摩擦面が増加するので、従来の断面が丸いタオル掛け等に掛ける場合に比べて、落下抑制効果が大きく、落ちにくい。
【００３２】
本発明の洗面化粧台１では、図３（ａ）、（ｂ）のいずれの構成であっても、タオル掛け部を備えた収納トレイ１１は、洗面ボウル２の上方のミラーキャビネット本体６に取り付けられているので、タオル掛け部１４に掛けるタオル３０は当然、洗面ボウル２の上方に位置する。
【００３３】
従って、例えば、使用者が洗面ボウル２において、手を洗ってタオル掛け部１４に掛かっているタオル２６で手を拭く際には、濡れた手は、洗面ボウル２上でタオル２６の位置まで移動するので、その移動途中、手から落ちる水滴は洗面ボウル２上に落ち、床等に落ちたりしない。
【００３４】
また、その移動途中、使用者は、従来例に比べると、ミラーキャビネット３又は収納キャビネット４に触れたりする機会も少なくなるので、ミラーキャビネット３および収納キャビネット４に対する汚れが防止できる。従って、床、ミラーキャビネット３および収納キャビネット４等の汚れが少なくなり、衛生的にも見た目も好ましい。
【００３５】
（実施例２）
本発明に係る洗面化粧台の実施例２を図４および図５を参照して説明する。実施例２の洗面化粧台は、実施例１の洗面化粧台と略同じ構成であり、相違する構成を中心にして、以下、説明する。実施例２の洗面化粧台のうち、実施例１の洗面化粧台と同じ構成については同じ符号を使用する。
【００３６】
実施例２の洗面化粧台において、タオル掛け部を備えた収納トレイ３８のタオル掛け部３９は、落下抑制部４０を備えている。落下抑制部４０は、図４（ａ）、（ｂ）に示すように、前壁部１８の上端から下方かつ後壁部１９に向けて形成された前部落下抑制部４１と後部落下抑制部４２を備えている。
【００３７】
前部落下抑制部４１は、実施例１の落下抑制部２６と同じ構成である。後部落下抑制部４２は、後壁部１９の上端から下方かつ前壁部１８に向けて形成されており、曲面状に形成された湾曲部４５を有している。この湾曲部４５は、後方に向けて凸状に湾曲するように形成されている。
【００３８】
前部落下抑制部４１と後部落下抑制部４２は、互いに対称的に形成され、前後方向に沿った垂直断面が逆ハの字型になり、下方に向けて前壁部１８および後壁部から徐々にすぼむように構成されている。
【００３９】
図４（ｂ）に示すが、前部落下抑制部４１と後部落下抑制部４２の下端の間の寸法Ｄは、タオル３０（２点鎖線で示す）の厚さＴより小さくする。タオル３０の厚さＴは、タオルの種類によって異なるが、例えば、通常使用されるフェイスタオルやハンドタオル等の厚さとする。
【００４０】
以上の構成から成る実施例２の洗面化粧台の作用を説明する。タオル掛け部を備えた収納トレイ３８の使用に際しては、図５（ａ）に示すように、上方から、タオル３０を前部落下抑制部４１と後部落下抑制部４２の間に挿入し、下方からタオル３０の下端部を摘んで下方に引くことによって、図５（ｂ）に示すように、前部落下抑制部４１の上で折り返すようにして掛けることができる。
【００４１】
下方からタオル３０の下端部を摘んで下方に引くと、前部落下抑制部４１と後部落下抑制部４２の下端の間の寸法Ｄがタオルの厚さＴより小さくても、図５（ａ）の矢印に示すように、前部落下抑制部４１と後部落下抑制部４２は、それぞれ前方および後方に弾力的に撓うので、タオル３０の一端側を下方に引きおろすことができる。
【００４２】
そして、タオル３０をタオル掛け部３９に掛けた状態では、前部落下抑制部４１と後部落下抑制部４２の弾性で、図５（ｂ）の矢印に示すように、前後からしっかりと挟持されるので、タオルは落下しにくい。
【００４３】
なお、実施例２においても、手についた水を拭くために、ボウル２からタオルまで手を移動する間に、水滴は洗面ボウル２上に落ちるので床等に落ちたりしないし、移動の際にミラーキャビネット３に手を触れたりする機会も少なくなる。従って、水滴による床、ミラーキャビネット３、収納キャビネット４等の汚れが少なくなり、衛生的にも見た目も好ましい。
【００４４】
（実施例３）
本発明に係る洗面化粧台の実施例３を図６および図７を参照して説明する。実施例３の洗面化粧台は、実施例１の洗面化粧台１と基本的な構成は同じであるが、タオル掛け部を備えた収納部の構造が、一部異なる。
【００４５】
ここでは、実施例３の洗面化粧台について、実施例１の洗面化粧台と相違する構成を中心にして、以下、説明する。実施例３の洗面化粧台のうち、実施例１の洗面化粧台１と同じ構成については同じ符号を使用する。
【００４６】
実施例３のタオル掛け部を備えた収納トレイ４８における洗面化粧台のタオル掛け部５０は、実施例１の洗面化粧台のタオル掛け部１４と異なり、図６（ａ）、（ｂ）に示すように、前壁部５１と後壁部５２とを接続する側壁部５３は、両側に設けられておらず、片側にしか設けられていない。他方の側は側壁部がなく、側方に開放されている。
【００４７】
要するに、前後方向に延びる片側の側壁部５３の前端部と、左右方向（横幅方向）に延びる前壁部５２とが一体でＬ字型に形成されている。前壁部５１は、図６（ｂ）に示すように、断面∩型に形成されており、実施例１および実施例２に示すような落下抑制部２６、４０は備えていない。しかし、図示はしないが、実施例３においても、実施例１および実施例２に示すような落下抑制部を設けてもよい。なお、収納部１５については、実施例１と同じ構成である。
【００４８】
図７（ａ）、（ｂ）は、鏡７の左側方に、実施例３のタオル掛け部を備えた収納トレイ４８が取り付けられているミラーキャビネットの全体構成を示している。タオル掛け部を備えた収納トレイ４８を第１の収納トレイとした場合に、その下方には、タオル掛け部を備えていない第２の収納トレイ５６および第３の収納トレイ５７が、順次設けられている。
【００４９】
第２の収納トレイ５６の収納部の奥行き方向の寸法Ｓ２および第３の収納トレイ５７の収納部の奥行き方向の寸法Ｓ３は、それぞれ図７（ｂ）に示すように、タオル掛け部を備えた収納トレイ（第１の収納トレイ）４８の収納部１５の奥行き方向の寸法Ｓ１と略同一に設定されている。
【００５０】
ところで、タオル掛け部を備えた収納トレイ４８におけるタオル掛け部５０は、その収納部１５からさらに前方に延びるように設けられている。従って、タオル掛け部５０の前壁部５１は、第２の収納トレイ５６の収納部および第３の収納トレイ５７の収納部より前方に位置する。
【００５１】
以上の構成から成る実施例３の洗面化粧台の作用を説明する。タオル３０をタオル掛け部５０に掛ける際には、図６（ｂ）に示すように、上方から前壁部５１と後壁部５２の間に挿入して、タオル３０を前壁部５１上に掛ける。また、実施例３のタオル掛け部５０は、一つの側において側方に開放されているので、この開放されている部分を通して、タオル３０を側方から前壁部５１上に掛けてもよい。
【００５２】
なお、実施例３においても、手についた水を拭くために、ボウル２からタオル３０まで手を移動する間に、水滴は洗面ボウル２上に落ちるので床等に落ちたりしないし、移動の際にミラーキャビネット３に手を触れたりする機会も少なくなる。従って、水滴による床、ミラーキャビネット３、収納キャビネット４等の汚れが少なくなり、衛生的にも見た目も好ましい。
【００５３】
そして、タオル掛け部５０の前壁部５１は、第２の収納トレイ５６および第３の収納トレイ５７より前方に設けられているので、タオル掛け部５０にタオル３０を掛けても、タオル３０は、第２の収納トレイ５６および第３の収納トレイ５７に接触して邪魔されるようなことがなく吊すことが可能となり、しかも衛生的である。
【００５４】
なお、実施例１および実施例２では、説明しなかったが、実施例１および実施例２においても、実施例３の図７（ａ）、（ｂ）に示すように、タオル掛けを備えた収納トレイの下方に、タオル掛け部を備えていない収納トレイ（例えば、実施例３に示す第２の収納トレイおよび第３の収納トレイ）が設けられている構成を採用してもよい。
【００５５】
この場合、実施例１および実施例２においても、実施例３と同様に、下方に設けるタオル掛け部を備えていない収納トレイの収納部の奥行き方向の寸法を、タオル掛けを備えた収納トレイ４８の収納部の奥行き方向の寸法と略同一に設定し、タオル掛け部の前壁部は、タオル掛け部を備えていない収納トレイより前方に位置するように構成することが好ましい。
【００５６】
以上、本発明に係る洗面化粧台を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５７】
本発明に係る洗面化粧台は上記のような構成であるから、ボウルを設けたキャビネットであれば、洗面化粧台以外にも適用可能である。
【符号の説明】
【００５８】
１  洗面化粧台                                            
２  洗面ボウル                                            
３  ミラーキャビネット 
４  収納キャビネット                                   
６  ミラーキャビネット本体                                
７  鏡                                                    
１０  通常の収納トレイ                                    
１１  タオル掛け部を備えた収納トレイ                      
１４  タオル掛け部を備えた収納トレイのタオル掛け部        
１５  タオル掛け部を備えた収納トレイの収納部              
１８  タオル掛け部の前壁部                                
１９  タオル掛け部の後壁部                                
２０  タオル掛け部を備えた収納トレイの取付壁部            
２１  タオル掛け部を備えた収納トレイの側壁部              
２２  収納部の底壁                                        
２５  引っ掛けフック                                      
２６  落下抑制部                                          
２７  落下抑制部の湾曲部                                  
３０  タオル                                              
３１  掛けられたタオルの一方の片                          
３２  掛けられたタオルの他方の片                          
３８  タオル掛け部を備えた収納トレイ                      
３９  タオル掛け部                                        
４０  落下抑制部                                          
４１  前部落下抑制部                                      
４２  後部落下抑制部                                      
４５  湾曲部                                              
４８  タオル掛け部を備えた収納トレイ                      
５０  タオル掛け部                                        
５１  タオル掛け部の前壁部                                
５２  タオル掛け部の後壁部                                
５３  タオル掛け部の側壁部
５６  第２の収納トレイ
５７  第３の収納トレイ
【図１】
2015073662.tif 000003
【図２】
2015073662.tif 000004
【図３】
2015073662.tif 000005
【図４】
2015073662.tif 000006
【図５】
2015073662.tif 000007
【図６】
2015073662.tif 000008
【図７】
2015073662.tif 000009